(57)【要約】【課題】上段側トレイと下段側トレイの複数段構造から成る被記録媒体カセットにおいて、より一層の分離信頼性を得る。【解決手段】用紙カセット１００は、下段側トレイ５０と、この下段側トレイ５０の上部において給送可能位置と退避位置との間をスライド変位可能な上段側トレイ６０と、を備えた複数段式の用紙カセットである。下段側トレイ５０および上段側トレイ６０は、用紙の分離を行う分離斜面についてそれぞれ専用の分離斜面（５４、６４）を有しており、各トレイに収容される用紙の種類に対応した最適な分離条件に設定することができ、ダブルフィードやノンフィードをより確実に防止でき、より一層の分離信頼性を得ることができる。【選択図】図１
2012136325.tif 000002
【特許請求の範囲】
【請求項１】
被記録媒体を収容する下段側トレイと、当該下段側トレイの上部に設けられた、被記録媒体を収容する上段側トレイと、を備え、
前記下段側トレイおよび前記上段側トレイは、被記録媒体の分離を行う分離斜面についてそれぞれ専用の分離斜面を有している、
ことを特徴とする被記録媒体カセット。
【請求項２】
被記録媒体を収容する下段側トレイと、当該下段側トレイの上部に設けられた、被記録媒体を収容する上段側トレイと、を備えて構成された被記録媒体カセットであって、
前記下段側トレイおよび前記上段側トレイは、被記録媒体の分離を行う分離斜面についてそれぞれ専用の傾斜角が設定される、
ことを特徴とする被記録媒体カセット。
【請求項３】
請求項１または２に記載の被記録媒体カセットにおいて、前記下段側トレイから被記録媒体を送り出す際の分離斜面の上端位置と、前記上段側トレイから被記録媒体を送り出す際の分離斜面の上端位置とが略一致する、
ことを特徴とする被記録媒体カセット。
【請求項４】
請求項１に記載の被記録媒体カセットにおいて、前記上段側トレイが備える分離斜面の傾斜角度が、前記下段側トレイが備える分離斜面の傾斜角度より緩やかである、
ことを特徴とする被記録媒体カセット。
【請求項５】
被記録媒体を給送する被記録媒体給送装置であって、請求項１から４のいずれか１項に記載の被記録媒体カセットを備えている、
ことを特徴とする被記録媒体給送装置。
【請求項６】
被記録媒体に記録を行う記録手段と、
請求項５に記載の被記録媒体給送装置と、を備えたことを特徴とする記録装置。
【発明の詳細な説明】
【技術分野】
【０００１】
本発明は、装置本体に対し着脱可能な被記録媒体カセット、特に、上段側トレイと下段側トレイの複数段構造から成る被記録媒体カセットに関する。また本発明は、当該被記録媒体カセットを備えた被記録媒体給送装置、およびこれを備えた、ファクシミリやプリンター等に代表される記録装置に関する。
【背景技術】
【０００２】
装置本体に対して着脱可能な用紙カセットは従来から広く用いられており、またその中でも特許文献１や特許文献２に示されるように、一つの着脱自在な用紙カセット（トレイ）において下段と上段に用紙収容部を備えた２段式構造のものが知られている。尚、記録装置において用紙を収容する用紙収容部の呼称としては「カセット」、「トレイ」など種々のものがあるが、本明細書では装置本体に対して着脱可能な一つのユニット体全体を「カセット」と言い、このカセット内に設けられた複数の用紙収容部を「トレイ」と言うこととする。
【０００３】
下段と上段のそれぞれのトレイは、用紙収容時に用紙先端の位置を規制する前方側内壁を備えている。この前方側内壁は、例えば特許文献１、２に示されるように第１給紙トレイ（下段トレイ）について傾斜面状に形成されており、この傾斜面状に形成された前方側内壁が用紙給送時の重送を防止するために分離手段として機能するよう構成されている。
【先行技術文献】
【特許文献】
【０００４】
【特許文献１】特開２００６−２７３５６５号公報
【特許文献２】特開２００７−９１４４５号公報
【発明の概要】
【発明が解決しようとする課題】
【０００５】
上記特許文献１、２記載のものは、上段トレイが分離斜面を持たず、傾斜角が固定された、下段トレイの分離斜面を利用する様に構成されている。即ち、全ての種類（用紙の材質、大きさ等、少なくとも一以上の条件によって分類される種類）の用紙について同一の分離斜面（分離条件）を利用することから、全ての種類の用紙についてダブルフィード及びノンフィードを防止できる様な傾斜角度、摩擦係数等を設定する必要があり、最適設計が困難であった。
【０００６】
また、分離条件がシビアであることから、少しでも用紙の条件（特に用紙のコシや、表面の摩擦係数など）が異なると、ダブルフィードやノンフィードなどの給紙不良を容易に招く虞があった。
【０００７】
そこで本発明はこの様な状況に鑑みなされたものであり、その目的は、上段側トレイと下段側トレイの複数段構造から成る被記録媒体カセットにおいて、より一層の分離信頼性を得ることにある。
【課題を解決するための手段】
【０００８】
上記課題を解決する為の、本発明の第１の態様に係る被記録媒体カセットは、被記録媒体を収容する下段側トレイと、当該下段側トレイの上部に設けられた、被記録媒体を収容する上段側トレイと、を備え、前記下段側トレイおよび前記上段側トレイは、被記録媒体の分離を行う分離斜面についてそれぞれ専用の分離斜面を有していることを特徴とする。
【０００９】
本態様によれば、上段側トレイと下段側トレイとを備えた複数段構造の被記録媒体カセットにおいて、下段側トレイおよび上段側トレイは、被記録媒体の分離を行う分離斜面についてそれぞれ専用の分離斜面を有しているので、上下各トレイに収容される被記録媒体の種類に対応した最適な分離条件に設定することができ、ダブルフィードやノンフィードをより確実に防止でき、より一層の分離信頼性を得ることができる。
【００１０】
本発明の第２の態様は、被記録媒体を収容する下段側トレイと、当該下段側トレイの上部に設けられた、被記録媒体を収容する上段側トレイと、を備えて構成された被記録媒体カセットであって、前記下段側トレイおよび前記上段側トレイは、被記録媒体の分離を行う分離斜面についてそれぞれ専用の傾斜角が設定されることを特徴とする。
【００１１】
本態様によれば、上段側トレイと下段側トレイとを備えた複数段構造の被記録媒体カセットにおいて、下段側トレイおよび上段側トレイは、被記録媒体の分離を行う分離斜面についてそれぞれ専用の傾斜角が設定されるので、上下各トレイに収容する被記録媒体の種類に対応した最適な分離角度に設定することができ、ダブルフィードやノンフィードをより確実に防止でき、より一層の分離信頼性を得ることができる。
【００１２】
本発明の第３の態様は、第１のまたは第２の態様において、前記下段側トレイから被記録媒体を送り出す際の分離斜面の上端位置と、前記上段側トレイから被記録媒体を送り出す際の分離斜面の上端位置とが略一致することを特徴とする。
【００１３】
本態様によれば、下段側トレイから被記録媒体を送り出す際の分離斜面の上端位置と、上段側トレイから被記録媒体を送り出す際の分離斜面の上端位置とが、略一致するので、下段側トレイから被記録媒体を送り出す際の被記録媒体送り出し位置（送り出し経路）と上段側トレイから被記録媒体を送り出す際の被記録媒体送り出し位置（送り出し経路）とが異ならず、いずれのトレイから被記録媒体を送り出しても、被記録媒体カセットから下流側の被記録媒体搬送経路に自然に送り込むことができる。
【００１４】
本発明の第４の態様は、第１の態様において、前記上段側トレイが備える分離斜面の傾斜角度が、前記下段側トレイが備える分離斜面の傾斜角度より緩やかであることを特徴とする。
【００１５】
本態様によれば、上段側トレイが備える分離斜面の傾斜角度が、下段側トレイが備える分離斜面の傾斜角度より緩やかであるので、上段側トレイが備える分離斜面の上端位置と、下段側トレイが備える分離斜面の上端位置とを一致させることができる。即ち、仮に上段側トレイが備える分離斜面の傾斜角度が、下段側トレイが備える分離斜面の傾斜角度より急であると、上段側トレイが備える分離斜面の上端位置と、下段側トレイが備える分離斜面の上端位置とを一致させた際に、下段側トレイの分離斜面が上段側トレイの被記録媒体収容空間に進出することとなり、上段側トレイの分離斜面が無効となる。
【００１６】
しかしながら上記の通り上段側トレイが備える分離斜面の傾斜角度が、下段側トレイが備える分離斜面の傾斜角度より緩やかであるので、上段側トレイが備える分離斜面の上端位置と、下段側トレイが備える分離斜面の上端位置とを一致させても、上段側トレイの分離斜面が有効となる。
【００１７】
そして下段側トレイから被記録媒体を送り出す際の分離斜面の上端位置と、上段側トレイから被記録媒体を送り出す際の分離斜面の上端位置とを一致させることにより、下段側トレイから被記録媒体を送り出す際の被記録媒体送り出し位置（送り出し経路）と上段側トレイから被記録媒体を送り出す際の被記録媒体送り出し位置（送り出し経路）とが異ならず、いずれのトレイから被記録媒体を送り出しても、被記録媒体カセットから下流側の被記録媒体搬送経路に自然に送り込むことができる。
【００１８】
本発明の第５の態様は、被記録媒体を給送する被記録媒体給送装置であって、第１から第４の態様のいずれかに係る被記録媒体カセットを備えていることを特徴とする。また本発明の第６の態様は、被記録媒体に記録を行う記録手段と、第５の態様に係る被記録媒体給送装置と、を備えたことを特徴とする記録装置である。これらの態様によれば、第１から第４の態様のいずれかと同様な作用効果を得ることができる。
【図面の簡単な説明】
【００１９】
【図１】本発明の一実施形態に係るプリンターの用紙搬送経路を示す側断面図。
【図２】本発明の一実施形態に係る用紙カセットの全体を示す斜視図。
【図３】（Ａ）、（Ｂ）は下段側トレイの分離斜面と上段側トレイの分離斜面との関係を模式的に示した図。
【図４】（Ａ）、（Ｂ）は下段側トレイの分離斜面と上段側トレイの分離斜面との関係を模式的に示した図（他の実施例）。
【発明を実施するための形態】
【００２０】
以下、図１乃至図４を参照しつつ本発明の一実施形態について説明する。図１は「記録装置」の一実施形態であるインクジェットプリンター（以下「プリンター」と言う）１の用紙搬送経路を示す側断面図、図２は本発明に係る「被記録媒体カセット」の一実施形態である用紙カセット１００の全体を示す斜視図、図３（Ａ）、（Ｂ）及び図４（Ａ）、（Ｂ）は下段側トレイ５０の分離斜面５４と上段側トレイ６０の分離斜面６４との関係を模式的に示した図であり、図４は図３とは異なる実施例を示したものである。
【００２１】
以下、図１を参照しつつプリンター１の全体構成について概説する。プリンター１は、装置底部に給送装置２を備え、当該給送装置２から、「被記録媒体」の一例としての用紙（主として単票紙）を１枚ずつ給送し、記録手段４において記録（インクジェット記録）を行い、装置前方側（図１において左側）に設けられた図示しない排紙スタッカへ向けて排出される構成を備えている。
【００２２】
以下、用紙搬送経路上の構成要素について更に詳説する。  
給送装置２は、用紙カセット１００と、ピックアップローラー１６と、ガイドローラー２０と、分離手段２１と、を備えている。  
複数枚の用紙を積層状態でセット可能な用紙カセット１００は、給送装置２の装置本体に対し、装置前方側から装着及び取り外し可能であり、下部に位置して用紙カセット１００の基体を構成する下段側トレイ５０と、その上部に位置する、給送可能位置と退避位置との間をスライド変位可能な上段側トレイ６０と、の２つの用紙収容部を備えている。
【００２３】
尚、図１においては、下段側トレイ５０に収容される用紙を符号Ｐ１で、上段側トレイ６０に収容される用紙を符号Ｐ２で、それぞれ示している（以下特に区別する必要がない場合は「用紙Ｐ」と言う）。
【００２４】
図示しないモータによって回転駆動されるピックアップローラー１６は、揺動軸１８を中心に揺動する揺動部材１７に設けられており、上段側トレイ６０が最も装置後方側（図１において左方向：用紙カセット１００の引き抜き方向側）にスライドした状態、即ち上段側トレイ６０が退避位置にあるときは、下段側トレイ５０に収容された用紙Ｐ１の最上位のものと接して回転することにより、当該最上位の用紙Ｐ１を下段側トレイ５０から送り出す。
【００２５】
また上段側トレイ６０が最も装置前方側（図１において右方向：用紙カセット１００の装着方向側）にスライドした突き当て位置にあるとき、即ち上段側トレイ６０の給送可能位置では、上段側トレイ６０に収容された用紙Ｐ２の最上位のものと接して回転することにより、当該最上位の用紙Ｐ２を上段側トレイ６０から送り出す。
【００２６】
下段側トレイ５０にセットされた用紙Ｐ１の先端と対向する位置、及び上段側トレイ６０にセットされた用紙Ｐ２の先端と対向する位置には、それぞれ分離斜面５４、６４が用紙積重方向に対し開き角を形成する（上方に拡開するように傾斜する）よう配置されている（詳細は後述）。そしてピックアップローラー１６の回転により繰り出された用紙Ｐ１の先端が分離斜面５４に摺接しつつ下流側に進むことで、或いは繰り出された用紙Ｐ２の先端が分離斜面６４に摺接しつつ下流側に進むことで、次位以降の用紙との予備的な分離が行われる様になっている。
【００２７】
次に、分離斜面５４、６４の下流側には自由回転可能なガイドローラー２０が設けられ、このガイドローラー２０の下流側には、分離ローラー２２と駆動ローラー２３とを備えて構成された分離手段２１が設けられている。分離ローラー２２は、外周面が弾性材によって形成されるとともに駆動ローラー２３と圧接可能に設けられ、且つ、トルクリミッタ機構により、所定の回転抵抗が与えられた状態に設けられている。従って重送されようとする次位以降の用紙Ｐが、当該分離ローラー２２と駆動ローラー２３との間で止められ、即ち重送が防止される様になっている。尚、駆動ローラー２３は図示しないモータにより用紙Ｐを下流側へ送る方向に回転駆動される。
【００２８】
分離手段２１の下流側には、図示しないモータにより回転駆動される駆動ローラー２６と、駆動ローラー２６との間で用紙Ｐをニップして従動回転するアシストローラー２７と、を備えて構成された第１中間送り部２５が設けられており、この第１中間送り部２５により、用紙Ｐが更に下流側へと送られる。尚、符号２９は、用紙Ｐが湾曲反転経路を通過する際の（特に用紙後端が通過する際の）通紙負荷を軽減する従動ローラーを示している。
【００２９】
従動ローラー２９の下流側には図示しないモータにより回転駆動される駆動ローラー３２と、駆動ローラー３２との間で用紙Ｐをニップして従動回転するアシストローラー３３と、を備えて構成された第２中間送り部３１が設けられており、この第２中間送り部３１により、用紙Ｐが更に下流側へと送られる。
【００３０】
第２中間送り部３１の下流側には、記録手段４が配置されている。記録手段４は、搬送手段５と、記録ヘッド４２と、下部紙案内３９と、排出手段６と、を備えている。搬送手段５は、モータによって回転駆動される搬送駆動ローラー３５と、該搬送駆動ローラー３５に圧接して従動回転するよう上部紙案内３７に軸支される搬送従動ローラー３６とを備えて構成されている。搬送手段５に到達した用紙Ｐは、搬送駆動ローラー３５と搬送従動ローラー３６とによってニップされた状態で搬送駆動ローラー３５が回転することにより、下流側へと精密送りされる。
【００３１】
続いて記録ヘッド４２はキャリッジ４０の底部に設けられ、当該キャリッジ４０は主走査方向（図１の紙面表裏方向）に延びるキャリッジガイド軸４１にガイドされながら、図示しない駆動モータによって主走査方向に往復動する様に駆動される。尚、キャリッジ４０はインクカートリッジを搭載しない所謂オフキャリッジタイプであり、インクカートリッジ（図示せず）がキャリッジ４０から独立して設けられ、インク供給チューブ（図示せず）を介してインクカートリッジから記録ヘッド４２へとインクが供給されるように構成されている。
【００３２】
記録ヘッド４２と対向する位置には下部紙案内３９が設けられ、当該下部紙案内３９によって、用紙Ｐと記録ヘッド４２との距離が規定されるようになっている。そして下部紙案内３９の下流側には、記録の行われた用紙Ｐを排出する排出手段６が設けられている。排出手段６は図示しないモータによって回転駆動される排出駆動ローラー４４と、当該排出駆動ローラー４４に接して従動回転する排出従動ローラー４５とを備えて構成され、記録手段４によって記録の行われた用紙Ｐは、排出手段６により、装置前方側に設けられた図示を省略するスタッカへと排出される。
【００３３】
以上がプリンター１の概要であり、以下、用紙カセット１００について図２〜図４をも併せて参照しつつ更に詳説する。  
下段側トレイ５０は、その底面５０ａに、用紙送り方向（即ち、用紙長さ方向）にスライド可能なエッジガイド５１（図１）を備えており、このエッジガイド５１により後端エッジの位置が規制されるようになっている。尚、用紙送り方向と直交する方向（即ち、用紙幅方向）にスライド可能なエッジガイドも設けられており（図示せず）このエッジガイドにより、サイドエッジの位置が規制されるようになっている。
【００３４】
また底面５０ａには、ピックアップローラー１６と用紙Ｐ１との接触位置に対応する場所に高摩擦材（不図示）が配置されており、この高摩擦材により、ピックアップローラー１６による用紙送り出し時に用紙束ごと下流側に送られないよう、当該用紙束が保持される。
【００３５】
一方、上段側トレイ６０についても下端側トレイ５０と同様に、その底面６０ａに、用紙長さ方向にスライド可能なエッジガイド６１と、用紙幅方向にスライド可能なエッジガイド６２と、を備えている。またピックアップローラー１６と用紙Ｐ２との接触位置に対応する場所に高摩擦材６３が配置されている。
【００３６】
次に、下段側トレイ５０において用紙送り出し方向側の内壁は、図２に示すように櫛歯状部５５となっており、同様に上段側トレイ６０において用紙送り出し方向側の内壁も、櫛歯状部６５となっている。そして上段側トレイ６０が給送可能位置に位置決めされた状態（図２の状態）では、下段側トレイ５０の櫛歯状部５５と上段側トレイ６０の櫛歯状部５５とが、互いに入り込む様になっている。
【００３７】
ここで、下段側トレイ５０の櫛歯状部５５の内側には、上述した分離斜面５４が形成されており、また上段側トレイ６０の櫛歯状部６５の内側にも、上述した分離斜面６４が形成されている。図３（Ａ）、（Ｂ）は下段側トレイ５０の分離斜面５４と上段側トレイ６０の分離斜面５４とを模式的に示したものであり、図３（Ａ）、（Ｂ）において符号αは分離斜面５４の傾斜角、符号βは分離斜面６４の傾斜角を示している。また、符号Ｐ１は下段側トレイ５０から給送される用紙を、符号Ｐ２は上段側トレイ６０から給送される用紙を示している。
【００３８】
本実施形態において傾斜角βは傾斜角αより緩やかに設定されているとともに、上段側トレイ６０が給送可能位置にあるとき、分離斜面５４の上端位置と分離斜面６４の上端位置とが、図３（Ｂ）に示す様に一致する様に構成されている。これにより、下段側トレイ５０から用紙Ｐ１を送り出す際の送り出し経路と上段側トレイ６０から用紙Ｐ２を送り出す際の送り出し経路とが異ならず、いずれのトレイから用紙を送り出しても、用紙カセット１００から下流側の用紙搬送経路に自然に送り込むことができる。
【００３９】
尚、分離斜面５４、６４は、本実施形態では櫛歯状部５５、６５を構成する各櫛歯の内側に形成されているが、全ての櫛歯に分離斜面を形成せず、用紙幅方向において一箇所或いは任意の複数箇所に分離斜面を形成しても良い。
【００４０】
その様な分離斜面の用紙幅方向における配置位置としては、例えば、ピックアップローラー１６の位置（分離斜面が一箇所の場合）、或いはピックアップローラー１６の位置に対して対称となる位置（分離斜面が複数箇所の場合）が好適である。この様に構成することで、用紙に送り出し力を付与する位置と、分離位置とが同じになり、スキューの発生を防止できる。また、分離斜面５４、６４は、用紙との間で高い摩擦力を生じさせる摩擦部材（例えばゴム、コルク、エラストマ等）によって構成することができる。
【００４１】
以上の通り、本発明に係る用紙カセット１００は、下段側トレイ５０および上段側トレイ６０は、用紙の分離を行う分離斜面についてそれぞれ専用の分離斜面（５４、６４）を有し、しかも専用の傾斜角が設定されるので、各トレイに収容される用紙の種類に対応した最適な分離条件に設定することができ、ダブルフィードやノンフィードをより確実に防止でき、より一層の分離信頼性を得ることができる。
【００４２】
尚、本実施形態では、上段側トレイ６０の分離斜面６４の傾斜角βが、下段側トレイ５０の分離斜面５４の傾斜角αより緩やかであるので、例えば上段側トレイ６０にはコシの強い専用紙が好適であり、下段側トレイ５０にはコシの弱い普通紙が好適となる。
【００４３】
以上説明した実施形態では、下段側トレイ５０と上段側トレイ６０のそれぞれに専用の分離斜面５４、６４を設けているが、上段側トレイ６０に専用の分離斜面を設けない構成とすることもできる。図４（Ａ）、（Ｂ）はその様な実施形態の一例を示しており、符号５０’、６０’はそれぞれ他の実施形態に係る下段側トレイ、上段側トレイを示している。
【００４４】
符号６６は上段側トレイ６０’の用紙送り出し方向の壁面を示しているが、この壁面６６は分離斜面としては利用されない。即ち、上段側トレイ６０’が給送可能位置に位置するとき（図４（Ｂ））、壁面６６は下段側トレイ５０’の分離斜面５４’よりも更に用紙送り出し側に入り込む。そして下段側トレイ５０’の分離斜面５４’が、上段側トレイ６０’から用紙を送り出す際の分離斜面として機能する様になっている。
【００４５】
但し、下段側トレイ５０’から用紙を送り出す際の分離斜面５４’の傾斜角α０と、上段側トレイ６０’から用紙を送り出す際の分離斜面５４’の傾斜角α１と、は異なる。即ち、符号５６は分離斜面５４’を形成する壁部材（不図示）の揺動軸を示しており、この壁部材（不図示）が揺動軸５６を中心に揺動することで、分離斜面５４’の傾斜角が変化する様になっている。
【００４６】
例えば、上段側トレイ６０’が退避位置にあるとき（図４（Ａ））、傾斜角α０は下段側トレイ５０’からの用紙送り出しに適した傾斜角となっている。この状態から上段側トレイ６０’が給送可能位置に移動すると（図４（Ｂ））、上段側トレイ６０’がリンク部材５７を押し（揺動させ）、そしてこのリンク部材５７が分離斜面５４’を形成する壁部材を押し上げる（揺動させる）ことで、分離斜面５４’の傾斜角がα０からα１へと変化する（本実施形態では、α０＞α１）。傾斜角α１は、上段側トレイ６０’からの用紙送り出しに適した傾斜角であり、以上の通り上段側トレイ６０’の位置に応じて分離斜面５４’の傾斜角が変化する様に構成されている。
【００４７】
即ち、上段側トレイ６０’は、用紙の分離を行う分離斜面について専用の分離斜面を有していないものの、下段側トレイ５０’及び上段側トレイ６０’のそれぞれについて専用の傾斜角が設定されることとなるので、各トレイに収容される用紙種類に対応した最適な分離角度に設定することができ、ダブルフィードやノンフィードをより確実に防止でき、より一層の分離信頼性を得ることができる。
【００４８】
以上説明した実施形態は一例であり、これに限られないことは言うまでもない。例えば、本実施形態に係る用紙カセット１００においては下段側トレイ５０の分離斜面５４と上段側トレイ６０の分離斜面６４は、それぞれ櫛歯状部５５、６５に形成されており、即ち分離斜面が用紙幅方向に渡って途切れ途切れに形成されているが、これに限られず、連続した一様な面（壁面）で分離斜面が形成されていても良い。
【符号の説明】
【００４９】
１  インクジェットプリンター、２  給送装置、４  記録手段、５  搬送手段、６  排出手段、１６  ピックアップローラー、１７  揺動部材、１８  揺動軸、２０  従動ローラー、２１  分離手段、２２  分離ローラー、２３  駆動ローラー、２５  第１中間送り部、２６  駆動ローラー、２７  アシストローラー、２９  従動ローラー、３１  第２中間送り部、３２  駆動ローラー、３３  アシストローラー、３５  搬送駆動ローラー、３６  搬送従動ローラー、３７  上部紙案内、３９  下部紙案内、４０  キャリッジ、４１  キャリッジガイド軸、４２  記録ヘッド、４４  排出駆動ローラー、４５  排出従動ローラー、５０  下段側トレイ、５０ａ  底面、５１  エッジガイド、５４  分離斜面、５５  櫛歯状部、６０  上段側トレイ、６０ａ  底面、６１、６２  エッジガイド、６３  高摩擦材、６４  分離斜面、６５  櫛歯状部、１００  用紙カセット、Ｐ、Ｐ１、Ｐ２  記録用紙
【図１】
2012136325.tif 000003
【図２】
2012136325.tif 000004
【図３】
2012136325.tif 000005
【図４】
2012136325.tif 000006